(57)【要約】【課題】簡単な構成であるにも拘わらず、ダンパの回動状態を良好なものとする。【解決手段】ケース２の壁面に形成した軸受部１３に、ダンパ５の軸部８を回転自在に支持する。前記軸受部１３を、円筒形状とする。前記軸部８を、前記軸受部１３の内周面に摺接する摺接面１４と、前記軸受部１３の内周面から離間する逃げ面１５とを備えた形状とする。そして、逃げ面１５に、ダンパ５を成形加工する際の金型のパーティングラインＰＬを位置させる。【選択図】　図３
2004026069.tif 000002
【特許請求の範囲】
【請求項１】
ケースの壁面に形成した軸受部に、ダンパの軸部を回転自在に支持してなる車両用空調ユニットにおいて、
前記軸受部を、円筒形状とする一方、
前記軸部を、前記軸受部の内周面に摺接する摺接面と、前記軸受部の内周面から離間する逃げ面とを備えた形状とし、逃げ面に、前記ダンパを成形加工する際の金型のパーティングラインを位置させたことを特徴とする車両用空調ユニット。
【請求項２】
前記軸受部と前記軸部との間に形成される空間が所定量の潤滑油を貯留可能な一定体積となるように、前記逃げ面を形成したことを特徴とする請求項１に記載の車両用空調ユニット。
【請求項３】
ケースの壁面に形成した軸受部に、ダンパの軸部を回転自在に支持してなる車両用空調ユニットにおいて、
前記軸受部を、円筒形状とする一方、
前記軸部を、前記軸受部の内周面を摺接する半円部と、前記軸受部の内周面に先端のみ摺接し、他の部分は離間する半楕円部とで構成し、半円部と半楕円部の境界部分に前記ダンパを成形加工する際の金型のパーティングラインを位置させたことを特徴とする車両用空調ユニット。
【発明の詳細な説明】
【０００１】
【発明の属する技術分野】
本発明は、ダンパの支持構造に特徴を有する車両用空調ユニットに関するものである。
【０００２】
【従来の技術】
従来、車両用空調ユニットでは、ダンパは、その軸部を、ユニットを構成するケースの内面に形成した筒状の軸受部に回転自在に支持されている。軸受部と軸部とは、軸受部の内周面と軸部の外周面との間に隙間が生じないように高精度に形成され、かつ、グリス等の潤滑油が塗布されることにより、がたつきや異音の発生が抑えられている。
【０００３】
【発明が解決しようとする課題】
しかしながら、前記従来の車両用空調ユニットでは、合成樹脂を成形加工することによりダンパを形成している。このため、軸部を高精度に形成するために、金型構造が複雑化し、コストアップを招来するという問題がある。すなわち、金型のパーティングライン（固定金型と可動金型の分離面）が軸部に位置すると、バリの発生により所望の精度（真円度）が得られない。このため、軸部のみをスライド金型によって形成しなければならなかった。
【０００４】
また、潤滑油は手作業により塗布されているため、塗布量のばらつきを避けることは困難であった。塗布量が適正量よりも多いと、他の不要な箇所に付着する一方、少ないと、早期に潤滑油切れが生じてダンパの回動状態が悪化し、摺接面の擦れにより異音が発生するという問題がある。
【０００５】
そこで、本発明は、簡単な構成であるにも拘わらず、ダンパの回動状態を良好なものとすることができる車両用空調ユニットを提供することを課題とする。
【０００６】
【課題を解決するための手段】
本発明は、前記課題を解決するための手段として、ケースの壁面に形成した軸受部に、ダンパの軸部を回転自在に支持してなる車両用空調ユニットにおいて、
前記軸受部を、円筒形状とする一方、
前記軸部を、前記軸受部の内周面に摺接する摺接面と、前記軸受部の内周面から離間する逃げ面とを備えた形状とし、逃げ面に、前記ダンパを成形加工する際の金型のパーティングラインを位置させたものである。
【０００７】
この構成により、軸部に成形加工時のバリが発生したとしても、その位置は逃げ面であり、直接軸受部の内周面に接触することがない。したがって、軸部の摺接面のみが軸受部の内周面に摺接し、ダンパの回動状態を良好なものとすることができる。
【０００８】
前記軸受部と前記軸部との間に形成される空間が所定量の潤滑油を貯留可能な一定体積となるように、前記逃げ面を形成すると、塗布する潤滑油の量を常に一定の適正量とすることができ、潤滑油が他の不要箇所に付着したり、早期に喪失してダンパの回動不良を起こしたりすることを防止可能な点で好ましい。
【０００９】
また、本発明は、前記課題を解決するための手段として、ケースの壁面に形成した軸受部に、前記ダンパの軸部を回転自在に支持してなる車両用空調ユニットにおいて、
前記軸受部を、円筒形状とする一方、
前記軸部を、前記軸受部の内周面を摺接する半円部と、前記軸受部の内周面に先端のみ摺接し、他の部分は離間する半楕円部とで構成し、半円部と半楕円部の境界部分にダンパを成形加工する際の金型のパーティングラインを位置させたものである。
【００１０】
この構成により、成形加工時のバリの発生を防止することができ、半円部と半楕円部の先端部分とを軸受部の内周面に摺接させることにより、ダンパの回動状態を良好なものとすることができる。
【００１１】
【発明の実施の形態】
以下、本発明に係る実施形態を添付図面に従って説明する。
【００１２】
図１は、本実施形態に係る車両用空調ユニット１を示す。この空調ユニット１では、ケース２内に設けたブロアファン３を回転させることにより、内気又は外気をエバポレータ４で冷却・除湿し、エアミックスダンパ５で分流し、その一方をヒータコア６で加熱し、他方をそのまま通過させ、両者を混合して所望温度とした後、車内に送風するようになっている。
【００１３】
エアミックスダンパ５は、図２に示すように、板状部７と軸部８とからなる合成樹脂製（ここでは、ポリプロピレンにタルク又はマイカを４０重量％含有させたものを使用）のもので、板状部７の表裏面にはポリウレタン製の緩衝板９が貼着されている。板状部７は、略Ｖ字形の壁面に形成した第１開口部１０と第２開口部１１に緩衝板９をそれぞれ圧接して開閉する。軸部８には、その長手方向に沿って両側に所定間隔で複数の凹部１２が形成されている。軸部８の両端は、板状部７から突出し、ケース２に形成した円筒状の軸受部１３に回転自在に支持されている。
【００１４】
軸部８は、図３に示すように、その横断面は略楕円状となっており、長軸側外周面は前記軸受部１３の内周面に摺接自在に支持される摺接面１４を構成し、短軸側外周面は前記軸受部１３の内周面から離間する逃げ面１５となっている。軸部８の逃げ面１５と軸受部１３の内周面との間の距離は、後述するように、たとえ成形時にバリが発生しても軸受部１３の内周面とは干渉することのない値とされている。また、軸部８の逃げ面１５と軸受部１３の内周面との間に形成される空間Ｓは、所望量の潤滑油を貯留するのに適した体積となっている。したがって、塗布する潤滑油が周囲の不要な箇所、例えば緩衝板９等に付着したり、あるいは、早期に潤滑油不足となって軸部８と軸受部１３との間に摩擦音等の異音の発生をもたらしたりするといった不具合の発生を防止することができる。
【００１５】
前記エアミックスダンパ５は、成形加工により形成する。成形用金型は、板状部７の片側に位置する固定側金型１６と、この固定側金型１６に対して接離する可動側金型１７とのみで構成され、軸部８を真円に形成するためにスライドコア等の金型開閉方向に対して直交する方向にスライドする別型を必要としない。すなわち、エアミックスダンパ５の中心線にパーティングラインＰＬが位置し、このパーティングラインＰＬ上にバリが発生する恐れがあるが、本実施形態では、軸部８に於けるパーティングラインＰＬの位置は、図３に示すように、短軸と一致している。このため、たとえ逃げ面１５にバリが発生したとしても、軸受部１３の内周面と干渉する恐れがなく、軸部８の摺接面１４と軸受部１３の内周面との間の摺接状態に悪影響を及ぼすことがない。したがって、金型を固定側金型１６と可動側金型１７のみからなる安価なものとすることが可能となる。
【００１６】
なお、前記実施形態では、軸部８の横断面を略楕円形状としたが、例えば、図４に示すように、半円部１８と半楕円部１９とを組み合わせた形状としてもよい。すなわち、半円部１８の外周面と半楕円部１９の先端面とを軸受部１３の内周面に摺接する摺接面１４とし、半楕円部１９の他の部分を逃げ面１５とする。そして、半円部１８と半楕円部１９との境目をパーティングラインＰＬと一致させる。これにより、半円部１８と半楕円部１９を成形する際の合わせ面を段違いにすることができ、半円部１８の角部に於けるバリの発生を抑え、軸受部１３の内周面との干渉を防止することができる。このように、軸部８を半円部１８と半楕円部１９とを組み合わせた形状とした形状とした場合であっても、金型を固定側金型１６と可動側金型１７のみで構成することができ、安価に製作することが可能となる。
【００１７】
【発明の効果】
以上の説明から明らかなように、本発明によれば、ダンパの軸部を摺接面と逃げ面とで構成し、逃げ面にパーティングラインが位置するようにダンパを成形加工するようにしたので、簡単かつ安価な構成であるにも拘わらず、ダンパの回動状態を良好なものとすることができる。
【図面の簡単な説明】
【図１】本実施形態に係る空調ユニットの一例を示す概略図である。
【図２】図２のエアミックスダンパの平面図である。
【図３】図２の軸部を示す拡大側面図である。
【図４】他の形状をした軸部の例を示す拡大側面図である。
【符号の説明】
１…ユニット
２…ケース
５…エアミックスダンパ
７…板状部
８…軸部
９…緩衝板
１３…軸受部
１４…摺接面
１５…逃げ面
１６…固定側金型
１７…可動側金型
１８…半円部
１９…半楕円部
【図１】
2004026069.tif 000003
【図２】
2004026069.tif 000004
【図３】
2004026069.tif 000005
【図４】
2004026069.tif 000006